(57)【要約】      （修正有）【課題】電子部品を実装し、実装強度向上のために塗布した樹脂のフィレット部の剛性を向上させ、実装強度の信頼性や耐久性を向上させた部品実装用基板及び電子装置を提供する。【解決手段】部品実装用基板及び電子装置１は、部品３が実装される第１の表面の一部で部品３の周囲の第１の領域に樹脂が塗布される基板２であって、第１の領域と、第１の表面に背向する第２の表面の一部であり第１の領域と同形状であり第１の領域に背向する第２の領域とに挟まれた補強領域７の剛性を、補強領域２以外の剛性よりも高くするための補強パターン５を備える。【選択図】図１
2009070898.tif 000002
【特許請求の範囲】
【請求項１】
部品が実装される第１の表面の一部で前記部品の周囲の第１の領域に樹脂が塗布される部品実装用基板であって、
前記第１の領域と、前記第１の表面に背向する第２の表面の一部であり前記第１の領域と同形状であり前記第１の領域に背向する第２の領域とに挟まれた補強領域の剛性を、前記補強領域以外の剛性よりも高くするための補強パターンを備えることを特徴とする部品実装用基板。
【請求項２】
前記補強パターンは、前記部品実装用基板の基材よりも剛性が高い材料で形成され、前記第１の領域、前記補強領域内の第１の内層領域及び第２の内層領域、並びに前記第２の領域のうちの、少なくとも２つの領域に備えられることを特徴とする請求項１記載の部品実装用基板。
【請求項３】
前記補強パターンを備える層である補強パターン層の、前記補強領域内であって前記補強パターンを備えない領域に、配線パターンを設けたことを特徴とする請求項１又は２のいずれかに記載の部品実装用基板。
【請求項４】
前記補強パターンのヤング率は、前記基材のヤング率よりも高いことを特徴とする請求項１乃至３のいずれかに記載の部品実装用基板。
【請求項５】
前記補強パターンは、金属を用いて形成されていることを特徴とする請求項４記載の部品実装用基板。
【請求項６】
所定の基板と、
前記基板の第１の表面に実装された部品と、
前記第１の表面の一部であって前記部品の周囲の第１の領域に塗布された樹脂を備える電子装置であって、
前記第１の領域と、前記第１の表面に背向する前記基板の第２の表面の一部であり前記第１の領域と同形状であり前記第１の領域に背向する第２の領域とに挟まれた前記基板の補強領域の剛性を、前記補強領域以外の前記基板の剛性よりも高くするための補強パターンを備えることを特徴とする電子装置。
【請求項７】
前記補強パターンは、前記基板の基材よりも剛性が高い材料で形成され、前記第１の領域、前記補強領域内の第１の内層領域及び第２の内層領域、並びに前記第２の領域のうちの、少なくとも２つの領域に備えられることを特徴とする請求項６記載の電子装置。
【請求項８】
前記基板の前記補強パターンを備える層である補強パターン層の、前記補強領域内であって前記補強パターンを備えない領域に、配線パターンを設けたことを特徴とする請求項６又は７のいずれかに記載の電子装置。
【請求項９】
前記補強パターンのヤング率は、前記基材のヤング率よりも高いことを特徴とする請求項６乃至８のいずれかに記載の電子装置。
【請求項１０】
前記補強パターンは、金属を用いて形成されていることを特徴とする請求項９記載の電子装置。
【請求項１１】
請求項１乃至５記載のいずれかに記載の部品実装用基板を内蔵し、前記部品実装用基板に前記部品を実装させたことを特徴とする装置。
【請求項１２】
請求項６乃至１０記載のいずれかに記載の電子装置を内蔵し、前記電子装置を動作させ所定の動作を行う装置。
【請求項１３】
請求項１乃至５記載の部品実装用基板に、前記部品を実装する工程を備えることを特徴とする部品実装方法。
【請求項１４】
前記第１の領域に前記樹脂を塗布する工程を備えることを特徴とする請求項１３記載の部品実装方法。
【発明の詳細な説明】
【技術分野】
【０００１】
本発明は、部品を実装するための基板、部品を実装した電子装置及び部品の実装方法に関し、特に補強パターンを用いて部品の実装強度を向上させた部品実装用基板、電子装置及び部品実装方法に関する。
【背景技術】
【０００２】
現在、半導体チップや、ＣＳＰ（Ｃｈｉｐ  Ｓｉｚｅ  Ｐａｃｋａｇｅ）、ＢＧＡ（Ｂａｌｌ  Ｇｒｉｄ  Ａｒｒａｙ）に封入された素子などの電子部品を、所定の基板の表面に実装する表面実装がよく用いられている。表面実装を行う際には、基板と電子部品とのハンダ接合部の耐落下衝撃性や耐熱疲労性の改善のために、ハンダ接合部を補強し、電子部品の実装強度を向上させることがある。そのような技術に、電子部品の周囲や電子部品と基板との間に樹脂を充填する方法がある（例えば、特許文献１参照。）。このような目的で使用される樹脂は、熱などにより硬化する性質を持っており、電子部品と基板とを強固に接着することにより、ハンダ接合強度を向上させることができる。さらに、特許文献１記載の技術では、基板上の樹脂の「フィレット（樹脂の端部の、すそ野状に広がった部分）」の最大高さと長さとの関係を所定の関係に設定することにより、実装強度を向上させている。なお、上記のような樹脂は、「アンダーフィル」と呼ばれることがある。
【０００３】
また、基板自体の曲げ強度を向上させる技術もある。（例えば、特許文献２、３参照。）。特許文献２記載の技術では、基板の外周部にそり抑制部材の銅パターンを備えている。特許文献３記載の技術では、基板の両面に金属補強パターンを備えることにより、基板の剛性を向上させている。
【０００４】
【特許文献１】特開平７−６６３２６号公報  （第２−３頁、図１）
【特許文献２】特開２０００−２９９３９９号公報  （第２−３頁、図３）
【特許文献３】特開平９−１５３５６４号公報  （第２−３頁、図１）
【発明の開示】
【発明が解決しようとする課題】
【０００５】
上記の各公知技術にはそれぞれ課題がある。特許文献１の技術では、電子部品を実装する基板には、実装強度向上のための対策が特に施されていない。そのため、基板の部品実装領域の剛性が低い場合、電子部品と基板との接合部にクラックが生じる可能性がある等、実装強度や耐久性といった信頼性に課題がある。
【０００６】
特許文献２、３記載の技術では、基板の剛性向上のための対策が施されている。しかし、前述のように、基板と電子部品間に樹脂を充填することにより実装強度を向上させる場合の対策としては不十分である。そのため、基板の部品実装領域の剛性が低い場合、フィレットにクラックが生じる可能性があり、やはり実装の信頼性に課題がある。その理由を、図面を参照して、詳しく説明する。
【０００７】
図９は従来の実装形態の例を示す外観図で、図９（ａ）は上面図、図９（ｂ）は図９（ａ）における線分Ａ−Ａ’で切断したときの断面図である。図９は、ＧＢＡタイプのパッケージを使用した電子部品１３を基板１２に実装し、樹脂を充填した実装形態の例である。このような基板１２に落下衝撃や曲げ応力が加わると、電子部品１３の外周部に塗布された樹脂が形成するフィレット１４に応力が加わる。そのため、フィレット１４下部の基板１２のフィレット下部領域２４の剛性が低い場合には、フィレット１４にクラック２５が生じる可能性がある。さらに、フィレット１４下部の基板１２の表面の配線パターン２３にまでもクラック２６が生じる可能性もある。
【０００８】
このように、従来の技術は、基板と電子部品間に樹脂を充填することにより実装強度を向上させる場合の対策が不十分で、実装に関する信頼性に課題がある。
（発明の目的）
本発明は上記のような技術的課題に鑑みて行われたもので、電子部品を実装し、実装強度向上のために樹脂を塗布した基板であって、樹脂のフィレット部の剛性を向上させ、実装強度の信頼性や耐久性を向上させた基板を提供することを目的とする。
【０００９】
また、そのような基板に部品を実装した電子装置、そのような基板に部品を実装する方法を提供することも目的とする。
【課題を解決するための手段】
【００１０】
本発明の部品実装用基板は、部品が実装される第１の表面の一部で部品の周囲の第１の領域に樹脂が塗布される部品実装用基板であって、第１の領域と、第１の表面に背向する第２の表面の一部であり第１の領域と同形状であり第１の領域に背向する第２の領域とに挟まれた補強領域の剛性を、補強領域以外の剛性よりも高くするための補強パターンを備えることを特徴とする。
【００１１】
本発明の電子装置は、所定の基板と、部品が実装される第１の表面の一部であって部品の周囲の第１の領域に塗布された樹脂を備える電子装置であって、第１の領域と、第１の表面に背向する基板の第２の表面の一部であり第１の領域と同形状であり第１の領域に背向する第２の領域とに挟まれた基板の補強領域の剛性を、補強領域以外の基板の剛性よりも高くするための補強パターンを備えることを特徴とする。
【００１２】
本発明の実装方法は、上記のような部品実装用基板に、部品を実装する工程、あるいは樹脂を塗布する工程を備えることを特徴とする。
【発明の効果】
【００１３】
本発明の部品実装用基板は、樹脂が塗布される部品の周囲領域の剛性をその他の部分よりも高くしている。そのため、部品実装用基板に落下衝撃や曲げ応力が加わったときにも、フィレットにクラックが生じにくいという効果がある。
【００１４】
本発明の電子装置は、部品を実装する基板の、樹脂が塗布される部品の周囲領域の剛性を、その他の部分よりも高くしている。そのため、電子装置に落下衝撃や曲げ応力が加わったときにも、フィレットにクラックが生じにくいという効果がある。
【発明を実施するための最良の形態】
【００１５】
（第１の実施形態）
本発明の実施形態について図面を参照して詳細に説明する。図１は本発明の第１の実施形態の電子装置の外観図で、図１（ａ）は上面図、図１（ｂ）は図１（ａ）における線分Ａ−Ａ’で切断したときの断面図である。
【００１６】
電子装置１は、基板２と、基板２に実装された部品３を備える。部品３の側面と周囲には樹脂４が塗布されている。樹脂４は、基板２と部品３とのハンダ接合強度を補強する目的で塗布するもので、前述の「アンダーフィル」もこれに該当する。なお、図１では、部品３と基板２は密着しているため間隙部は存在しないが、間隙部が存在する場合には、その間隙部にも樹脂４を充填する。樹脂４は、部品３の周囲に塗布されているため、樹脂４が持つ粘性によりフィレットを形成する。以降、樹脂４のフィレット部のみを取り上げるため、フィレット４と示すこととする。
【００１７】
基板２は、部品３が実装された面に、部品３の周囲を囲むように補強パターン５を備える。また、基板２は、部品３が実装されていない方の面にも、補強パターン５と背向するように補強パターン６を備える。通常の配線用のパターンは、必要に応じて基板２の内層に配置すればよく、補強パターン５と補強パターン６に挟まれ補強されている基板２の領域（以降、「補強領域」という。）７の内部に配置することも差し支えない。
【００１８】
次に、補強パターン５及び補強パターン６の形状について説明する。補強パターン５を形成する領域は、フィレット４が存在する領域（以降、「フィレット領域」という。）をすべて含む領域である。補強パターン６は、基板２の裏面の、フィレット領域の直下に形成される。従って、補強パターン５の幅ｄ１、及び補強パターン６の幅ｄ２は、フィレットの幅ｄ０と同等以上である。図１は、ｄ１＝ｄ２＝ｄ０の例を示す。ｄ１、ｄ２がｄ０より大きい場合の電子装置の例は第２の実施形態で示す。
【００１９】
図２は本発明の第１の実施形態の部品実装用基板の外観図で、図２（ａ）は上面図、図２（ｂ）は図２（ａ）における線分Ａ−Ａ’で切断したときの断面図である。図２は、図１の電子装置１で用いている基板２のみを図示したものである。このように、基板２は、裏面の補強領域７内の、基板２の表面とそれに背向する裏面に、補強パターン５、６を備えるだけの簡単な構造を持つ。
【００２０】
次に、補強パターン５及び補強パターン６の材料（以降、「補強パターン材料」という。）について説明する。図１の電子装置１では、補強パターン材料は金属である。基板２のコアとなる基材は、ガラスエポキシ樹脂、紙フェノール等の絶縁性材料である。従って、基板２に落下衝撃や曲げ応力が加わったときの、補強領域７内の基板２の表面の収縮量及び伸長量は、基板２が補強領域７を備えないときと比較して少ない。つまり、補強領域７内の基板２の剛性は、基板２のその他の部分の剛性よりも高く、基板２の補強領域７は湾曲しにくい。以上のように、補強領域７の基板２の剛性は、補強パターン５、６を備えることによって向上する。
【００２１】
特に、補強領域７をフィレット４の下部に配置し、補強パターン５の幅ｄ１と補強パターン６の幅ｄ２を、フィレット４の幅ｄ０と同等以上に設定しているため、フィレット４に加わる応力が低減する。そのため、フィレット４にクラックが生じることを防止できる。また、補強領域７に配線パターンが配置されている場合には、その配線パターンの断線も防止できる。
【００２２】
補強パターン材料は、基板２の基材よりも剛性が高い材料であればよく、補強パターン材料が金属であること、あるいは導電性を備えることは必須ではない。従って、補強パターン材料は、導電性樹脂であってもよく、あるいは絶縁性材料であってもよい。いずれの材料を用いて補強パターン５、６を形成してもよいが、補強パターン５、６の剛性が基板２よりも高いことが必要である。
【００２３】
このように、補強パターン５、６を設ける目的は、基板２に曲げ応力が加わったときの補強領域７の剛性を向上させることであるから、基板２の表面の収縮及び伸長に対する剛性が高いことが望ましい。従って、補強パターン材料には、基板２の基材よりも、例えばヤング率が高い材料を用いればよい。
【００２４】
なお、補強パターン５、６を、金属、あるいは導電性材料で形成する場合は、補強パターン５、６を電気信号の伝達や電源供給、電磁波の遮蔽に使用にも兼用することができる。
【００２５】
図１の電子装置１は、補強パターン５、補強パターン６を、基板２の表面及び裏面に備える。しかし、補強パターン５、補強パターン６を設ける位置は、基板２の表面及び裏面には限定されず、基板２の内層であってもよい。図３は、本発明の第１の実施形態の電子装置の一部を変更した形態を示す断面図である。図３（ａ）、（ｂ）、（ｃ）、（ｄ）は、補強パターン５、補強パターン６の少なくとも一方を、基板２の内層に配置した電子装置１の例である。図３（ｄ）は、補強パターン８を増設し、全部で３つの層に補強パターンを設けた例である。このように、補強パターン５、補強パターン６を基板２の内層に設けたり、３層あるいはそれよりも多い層に補強パターンを設けたりすることもできる。
【００２６】
図４に、電子装置の具体例として、基板１２にＢＧＡタイプの半導体素子１３を実装した半導体装置を示す。図４（ａ）、（ｂ）は、電子装置１１の上面図及び断面図である。半導体素子１３はハンダボール１７を備え、基板１２上の実装用パターン１８にハンダ付けによって接合されている。そして、アンダーフィル用の樹脂１４が半導体素子１３の周囲に塗布されている。また、樹脂１４は、半導体素子１３と基板１２間の間隙部の、ハンダボール１７と実装用パターン１８の接合部周囲にも充填されている。
【００２７】
図５は、基板１２に半導体素子１３を実装する工程を示す説明図である。基板１２への半導体素子１３の実装は、以下のような工程で行うことができる。
１）（基板の準備）図４のような構造を持つ基板１２を用意する。すなわち、補強パターン１５、１６を備える基板１２を用意する。図１乃至図３に示したような基板２でも差し支えないことはいうまでもない。
２）（ハンダの印刷）基板１２上の実装用パターン１８にハンダ１９を印刷する。
３）（半導体素子の搭載）半導体素子１３を基板１２上に搭載する。
４）（ハンダの溶融）赤外線リフロー等を用いてハンダ１９を溶融し、半導体素子１３を実装用パターン１８に接合する。
５）（アンダーフィル樹脂の塗布）半導体素子１３の側面と周囲にアンダーフィル１４を塗布する。その際、半導体素子１３と基板１２との間隙部分にもアンダーフィル１４を充填する。
【００２８】
以上によって、半導体素子１３の基板１２への実装とアンダーフィル１４の塗布及び充填が完了する。
（第１の実施形態の効果）
以上のように、第１の実施形態の電子装置では、フィレットが塗布された基板の表面とその領域に背向する基板の背面に挟まれた補強領域に、補強パターンを備える。補強パターンの材料の剛性は、基板の基材の剛性よりも高いので、補強領域部の基板の剛性が向上する。そのため、電子装置の基板に応力が加わったときにも、基板やフィレットにクラックが入ることを防止することができる。フィレットの下部に配線パターンが配置されている場合には、その配線パターンの断線も防止できる。従って、電子装置に応力が加わったときの、電子装置の破壊強度、耐久性といった電子装置の信頼性を向上させることができるという効果がある。
【００２９】
また、第１の実施形態の電子装置では、所定の領域に補強パターンを配置することのみにより、基板の剛性を向上させることができる。従って、コストアップすることなく、電子装置の信頼性を向上させることができるという効果がある。
【００３０】
さらに、第１の実施形態の電子装置では、補強パターンを配置することのみにより、基板の剛性を向上させることができるため、基板の各層を薄型化することが可能である。従って、基板全体の薄型化が可能となり、機器全体としての薄型化も可能となるという効果がある。
（第２の実施形態）
第１の実施形態の電子装置１では、補強パターン５、６の形状はフィレット形状に一致していた。しかし、補強パターンの形状は、図１乃至図４の例には限定されない。補強パターンの形状は、フィレット領域の形状を含んでいればよく、各種の形状を取ることができる。
【００３１】
図６は、本発明の第２の実施形態の電子装置の具体例の外観図で、図６（ａ）、（ｂ）、（ｃ）は上面図である。図６（ａ１）、（ａ２）、（ａ３）は図６（ａ）における線分Ａ−Ａ’で切断したときの断面図である。図６（ｂ１）、（ｂ２）、（ｂ３）は図６（ｂ）における線分Ａ−Ａ’で切断したときの断面図である。図６（ｃ１）、（ｃ２）、（ｃ３）は図６（ｃ）における線分Ａ−Ａ’で切断したときの断面図である。図６は、部品３を実装する面の補強パターン５、及び他方の面の補強パターン６の配置の例を示す。このように、補強パターン５及び補強パターン６を配置する領域と、フィレット領域Ｘ、及び部品３を実装する領域（以降、「部品領域」という。）Ｙとの関係には、各種の場合がある。なお、補強パターン５、６の一方又は両方を基板２の内層に配置する場合、あるいは３層以上の層に補強パターンも備える場合も同様であるが、図示及び説明は省略する。
【００３２】
図６（ａ）は、補強パターン５の形状が、フィレット領域Ｘに一致する場合である。図６（ｂ）は、補強パターン５の内周が、部品領域Ｙへ広がっている場合である。図６（ｃ）は、補強パターン５の外周が、フィレット領域Ｘの外周よりも外へ広がっている場合である。
【００３３】
図６（ａ）、（ｂ）、（ｃ）の各場合について、補強パターン６の内周、外周を変更した例を、図６（ａ１）−（ａ３）、（ｂ１）−（ｂ３）、（ｃ１）−（ｃ３）に示す。
【００３４】
このように、図６のいずれの場合も、補強パターン５、６は、補強領域７内には必ず存在している。そして、補強パターン５、６は、補強領域の内部方向、外部方向へ拡張することができる。
（第２の実施形態の効果）
以上のように、第２の実施形態の電子装置の基板が備える２つの補強パターンの形状は、フィレットが存在する領域の形状のすべてを含み、さらに一方又は両方の補強パターンは内周、又は外周に拡張されている。そのため、第１の実施形態の電子装置における破壊強度、耐久性をより向上させ、電子装置の信頼性をさらに高めることができるという効果がある。
（第３の実施形態）
第１の実施形態及び第２の実施形態の電子装置における補強領域は、フィレット領域の全体を含んでいた。第３の実施形態の電子装置では、一部のフィレット領域が補強領域に含まれていない。図７（ａ）、（ｂ）は、第３の実施形態の電子装置における、補強パターンの形状の例を示す上面図である。
【００３５】
基板２１が備える補強パターン２２は、フィレット領域Ｘ内であって、補強パターンが配置されていない領域（以降、「補強パターン除去領域」という。）Ｚを備える。
【００３６】
補強パターン欠損領域Ｚでは、補強パターンによる基板の剛性の向上という効果は得られない。しかし、補強パターン欠損領域Ｚの周囲の補強領域が基板の剛性向上の効果を持つので、基板２１の補強領域部は全体として、基板の剛性の向上の効果を持つ。
【００３７】
ただし、補強パターン欠損領域Ｚが広いほど基板の剛性は低下するので、Ｚを設ける位置、形状は、要求される信頼性を考慮して、評価等によって決定することが望ましい。
【００３８】
図８は第３の実施形態の具体例を示す外観図で、図８（ａ）は上面図、図８は図８（ａ）における線分Ａ−Ａ’で切断したときの断面図である。図８は、図４の電子装置１１において、基板１２に補強パターン欠損領域Ｚを設け、半導体素子１３の内部電極であるハンダボール１７から外部に信号を引き出すための配線パターン２３を引き出したものである。
【００３９】
補強パターンが基板１２の内層にある場合も、同様に補強パターン欠損領域Ｚを設け、半導体素子１３の直下の領域から外部に配線パターン２３を引き出すことができる。
【００４０】
以上のように、第３の実施形態の電子装置における補強パターンの形状は、輪郭はフィレット領域の形状に一致するが、一部の領域が除去されている。そして、補強パターンを除去した領域を利用して、配線パターン等を配置している。
【００４１】
なお、図６のように、補強パターンの外周又は内周が拡張されている場合においても同様であり、フィレット領域の直下にある補強領域内の一部の領域の補強パターンを除去してもよい。
（第３の実施形態の効果）
第３の実施形態の電子装置では、基板の剛性の向上の効果を維持しつつ、補強パターンを一部除去している。そのため、基板上に必要な信号パターンを配置することができる。従って、部品を実装するための基板の配線パターン設計の自由度が向上するという効果がある。
【００４２】
以上の実施例は各々他の実施例と組み合わせることができる。例えば、複数の補強パターンの各々の形状、表面、裏面、内層等、補強パターンを配置する位置、補強パターン除去領域の有無など、第１乃至第３の実施形態で説明した各種の実施形態を組み合わせることができる。
【００４３】
本発明の部品実装用基板は、例えば、内部に半導体チップと基板を内蔵した半導体装置や表面実装を行うプリント基板に使用することができる。本発明の電子装置は、例えば、内部に半導体チップと基板を内蔵した半導体装置である。
【００４４】
また、本発明の部品実装用基板及び電子装置は、携帯電話など表面実装を用いて小型化、軽薄化を行う各種の電子機器に適用することができる。
【図面の簡単な説明】
【００４５】
【図１】本発明の第１の実施形態の電子装置の外観図である。
【図２】本発明の第１の実施形態の部品実装用基板の外観図である。
【図３】本発明の第１の実施形態の電子装置の一部を変更した形態を示す断面図である。
【図４】本発明の第１の実施形態の電子装置の具体例の外観図である。
【図５】本発明の第１の実施形態の部品の実装工程を示す説明図である。
【図６】本発明の第２の実施形態の電子装置の具体例の外観図である。
【図７】本発明の第３の実施形態の電子装置の補強パターンの上面図である。
【図８】本発明の第３の実施形態の電子装置の具体例の外観図である。
【図９】従来の実装形態の一例の外観図である。
【符号の説明】
【００４６】
１、１１、２１    電子装置
２、１２    基板
３    部品
４、１４    樹脂、フィレット
５、６、１５、１６、２２    補強パターン
７    補強領域
１３    半導体素子
１７    ハンダボール
１８    実装用パターン
１９    ハンダ
２３    配線パターン
２４    フィレット下部領域
２５、２６    クラック
【図１】
2009070898.tif 000003
【図２】
2009070898.tif 000004
【図３】
2009070898.tif 000005
【図４】
2009070898.tif 000006
【図５】
2009070898.tif 000007
【図６】
2009070898.tif 000008
【図７】
2009070898.tif 000009
【図８】
2009070898.tif 000010
【図９】
2009070898.tif 000011